(57)【要約】【課題】検知温度誤差が大きいと、実際の調理温度に沿った自動運転をすることができず、調理状態によって適切な換気風量をレンジフード側で決定して過大な換気をしたり、換気量の不足をしたりすることがあった。【解決手段】熱起電力型温度センサ１１によって検知した温度が所定の温度幅におさまるように、増幅回路１３の可変抵抗１４を調整して補正をすることによって、使用する温度幅において検知温度の誤差を少なくすることができる。【選択図】図２
2013079747.tif 000002
【特許請求の範囲】
【請求項１】
屋外に連通した吐出口と、空気を吸込む吸込口と、前記吐出口と前記吸込口とを結ぶ通風路内に空気を吸込み排気する排気ファンと、フード部分には前記排気ファンの排気風量を手動で決定するための操作スイッチと、前記操作スイッチの入力に基づいて前記排気ファンの運転を決定する制御手段と、加熱調理器の周囲温度を検知するための周囲温度検知手段と、前記加熱調理器のトッププレートの温度を検知するための温度検知手段と、前記温度検知手段による検知温度を補正するための補正手段を備え、前記補正手段は、前記温度検知手段の出力電圧を増幅する増幅回路と、前記増幅回路の増幅率を可変する増幅率可変手段から構成するものであって、前記温度検知手段によって検知した温度が所定の温度範囲において、前記周囲温度検知手段によって検知した温度に対して所定の温度幅内におさまるように増幅率を可変して補正することを特徴とするレンジフード。
【請求項２】
温度検知手段の検知温度を処理する制御手段と、前記制御手段に信号を伝達する伝達手段と、前記伝達手段に前記増幅回路の基準電位を可変し、伝達誤差を抑える調整手段を備え、前記調整手段は、前記温度検知手段の検知温度と前記周囲温度検知手段が検知する温度が等しいときの温度差を所定の温度幅内になるように前記増幅回路の基準電位を調整することを特徴とする請求項１記載のレンジフード。
【発明の詳細な説明】
【技術分野】
【０００１】
本発明は、キッチンの空気中に含まれるゴミ、埃、ダニの死骸、油成分等をフィルタを介して除去し、きれいになった空気を排気ダクトを通じて屋外へ排出するレンジフードに関するものである。
【背景技術】
【０００２】
従来のレンジフードファンは、加熱調理機器の周辺に設置され、調理時に発生する油煙や臭いを室外へ排気する排気ファンモーターと、前記加熱調理機器の天面（トッププレート）から発する遠赤外線を検知する単眼の素子を内蔵した熱起電力型温度センサと、前記熱起電力型温度センサが検出した結果を温度に変換する制御部を備え、前記制御部が変換した温度を基に前記加熱調理機器の使用状態を判断して前記排気ファンモーターを駆動もしくは停止するものであった（例えば、特許文献１参照）。
【先行技術文献】
【特許文献】
【０００３】
【特許文献１】特開２００９−１２１７５１号公報
【発明の概要】
【発明が解決しようとする課題】
【０００４】
このような従来のレンジフードファンでは、加熱調理器のトッププレートの検知温度は部品バラツキによって誤差が大きくなり、検知温度誤差が大きいと、実際の調理温度に沿った自動運転をすることができず、調理状態によって適切な換気風量をレンジフード側で決定して過大な換気をしたり、換気量の不足をしたりするという課題があった。
【０００５】
本発明は、上記従来の課題を解決するのもで、検知温度の誤差を使用する温度範囲内において極力少なくすることを目的とする。
【課題を解決するための手段】
【０００６】
本発明の請求項１記載のレンジフードは、屋外に連通した吐出口と、空気を吸込む吸込口と、前記吐出口と前記吸込口とを結ぶ通風路内に空気を吸込み排気する排気ファンと、フード部分には前記排気ファンの排気風量を手動で決定するための操作スイッチと、前記操作スイッチの入力に基づいて前記排気ファンの運転を決定する制御手段と、加熱調理器の周囲温度を検知するための周囲温度検知手段と、前記加熱調理器のトッププレートの温度を検知するための温度検知手段と、前記温度検知手段による検知温度を補正するための補正手段を備え、前記補正手段は、前記温度検知手段の出力電圧を増幅する増幅回路と、前記増幅回路の増幅率を可変する増幅率可変手段から構成するものであって、前記温度検知手段によって検知した温度が所定の温度範囲において、前記周囲温度検知手段によって検知した温度に対して所定の温度幅内におさまるように増幅率を可変して補正することを特徴としたものであり、所期の目的を達成するものである。
【発明の効果】
【０００７】
本発明によれば、屋外に連通した吐出口と、空気を吸込む吸込口と、前記吐出口と前記吸込口とを結ぶ通風路内に空気を吸込み排気する排気ファンと、フード部分には前記排気ファンの排気風量を手動で決定するための操作スイッチと、前記操作スイッチの入力に基づいて前記排気ファンの運転を決定する制御手段と、加熱調理器の周囲温度を検知するための周囲温度検知手段と、前記加熱調理器のトッププレートの温度を検知するための温度検知手段と、前記温度検知手段による検知温度を補正するための補正手段を備え、前記補正手段は、前記温度検知手段の出力電圧を増幅する増幅回路と、前記増幅回路の増幅率を可変する増幅率可変手段から構成するものであって、前記温度検知手段によって検知した温度が所定の温度範囲において、前記周囲温度検知手段によって検知した温度に対して所定の温度幅内におさまるように増幅率を可変して補正するという構成にしたことにより、補正手段は、増幅率を可変することで、温度検知手段による検知手段を所定の温度範囲において、周囲温度に対して所定の温度幅内になるように調整するという作用を有し、加熱調理器の周囲温度によらず調理器具の温度によって制御部が排気ファンを駆動し、風量を変化させ、使用感を向上させるという効果を有する。
【図面の簡単な説明】
【０００８】
【図１】本発明の実施の形態１のレンジフードの概観図
【図２】熱起電力型センサの回路構成を示す図
【図３】検知温度のバラツキを示す図
【図４】熱起電力型センサの回路構成を示す図
【図５】検知温度のバラツキを示す図
【発明を実施するための形態】
【０００９】
本発明の請求項１記載のレンジフードは、屋外に連通した吐出口と、空気を吸込む吸込口と、前記吐出口と前記吸込口とを結ぶ通風路内に空気を吸込み排気する排気ファンと、フード部分には前記排気ファンの排気風量を手動で決定するための操作スイッチと、前記操作スイッチの入力に基づいて前記排気ファンの運転を決定する制御手段と、加熱調理器の周囲温度を検知するための周囲温度検知手段と、前記加熱調理器のトッププレートの温度を検知するための温度検知手段と、前記温度検知手段による検知温度を補正するための補正手段を備え、前記補正手段は、前記温度検知手段の出力電圧を増幅する増幅回路と、前記増幅回路の増幅率を可変する増幅率可変手段から構成を有する。
【００１０】
これにより、補正手段は、増幅率を可変することで、温度検知手段による検知手段を所定の温度範囲において、周囲温度に対して所定の温度幅内になるように調整するという作用を有し、加熱調理器の周囲温度によらず調理器具の温度によって制御部が排気ファンを駆動し、風量を変化させ、使用感を向上させるという効果を有する。
【００１１】
また、請求項２記載のレンジフードは、前記制御手段に信号を伝達する伝達手段と、前記伝達手段に前記増幅回路の基準電位を可変し、伝達誤差を抑える調整手段を備え、前記調整手段は、前記温度検知手段の検知温度と前記周囲温度検知手段が検知する温度が等しいときの温度差を所定の温度幅内になるように前記増幅回路の基準電位を調整するという構成を有する。
【００１２】
これにより、温度検知手段から伝達手段に伝達する伝達誤差を調整手段で調整する作用を有し、加熱調理器の周囲温度によらず調理器具の温度によって制御部が排気ファンを駆動し、風量を変化させ、使用感を向上させるという効果を有する。
【００１３】
以下、本発明の実施の形態について図面を参照しながら説明する。
【００１４】
（実施の形態１）
図１に示すように、レンジフードファン１は、屋外に連通した吐出口２と、空気を吸込む吸込口３と、吐出口２と吸込口３とを結ぶ通風路内に空気を吸込み排気する排気ファン５を備えている。
【００１５】
このレンジフードファン１のフード部分４には、排気ファン５の排気風量を手動で決定するための操作スイッチ６と、操作スイッチ６の入力に基づいて排気ファン５の運転を決定する制御手段７と、レンジフードファン１の下部に備えた加熱調理器８の周囲温度を検知するための周囲温度検知手段としてのサーミスタ９と、加熱調理器８のトッププレート１０の温度を検知するための温度検知手段としての熱起電力型温度センサ１１と、制御手段７で決定した排気ファン５の運転に対してサーミスタ９と熱起電力型温度センサ１１の情報によって排気ファン５の排気風量を調整するための調整手段としてのマイクロコンピュータ１２を備えている。マイクロコンピュータ１２の内部には制御手段７の機能も兼ねている。
【００１６】
熱起電力型温度センサ１１の出力は非常に微小出力であるため、図２に示すように、増幅回路１３にて増幅してマイクロコンピュータ１２に入力している。増幅率は抵抗器Ｒ１と抵抗器Ｒ２の抵抗値により決まる。熱起電力型温度センサ１１は、検知した温度（検知温度Ｔｐ）が周囲温度Ｔｈと比較して差があると、検知した温度に従って電圧を出力するが、出力する電圧値は固体ごとのバラツキを有し、検知温度の誤差として影響する。熱起電力型温度センサ１１のバラツキは図３に示すように、傾きを持っており、検知温度Ｔｐが高くなる、もしくは低くなるにつれて固体差によるバラツキが大きくなり検知温度Ｔｐの誤差は大きくなる。これは、前述したように熱起電力型温度センサ１１の検知温度Ｔｐと周囲温度Ｔｈに差がある時に初めて電圧を出力し、検知温度Ｔｐが高くなるにつれて出力も大きくなるため、同時に出力電圧が大きくなるにつれて誤差は大きくなる。図３に示すバラツキによって生じる傾きの差は、増幅率可変手段としての可変抵抗１４によって増幅回路１３の増幅率を調整することによって変えることができる。また、増幅率を変えて傾きを変えたとしても、Ｔｐ＝Ｔｈの時は熱起電力型温度センサ１１の出力自身が無いため影響はない。そのため、増幅率を変えることで誤差を少なくすることができる。
【００１７】
しかしながら、傾きを調整するためには、調整するための基準温度としての熱源が必要となり、傾きをセンター値に近づけるためには非常に高い温度の熱源が必要となってしまう。そこで、調理開始時（検知温度Ｔｐが周囲温度Ｔｈと等しい）からコンロ上の調理物の温度を検知して風量を変更するために利用する温度範囲において、製品組み立て時、もしくは組み立て前に検知温度Ｔｐが所定の温度幅内に入るように可変抵抗１４を調整することによって増幅率を調整する。そのようにすることで、比較的低い温度の熱源を使用して自動運転の精度を向上し、使用感の高いレンジフードファンを実現することができる。
【００１８】
具体的に、調理物の温度が高くなるときに検知温度Ｔｐの上昇値が最も高くなる条件は、周囲温度Ｔｈが低くなるときである。つまり、最も低い温度を１０℃としたとき、周囲温度１０℃のときに風量が強運転となる時の調理物の温度Ｔ１が決まる。検知温度Ｔ１より高い温度では風量の変更には使用をしないため、精度を必要としない。つまり、温度上昇値である１０℃からＴ１の範囲において、所定の温度幅（たとえば±１℃以内）となるように可変抵抗を調節すれば、風量を可変する範囲の温度範囲で自動運転の精度を向上し、使用感の高いレンジフードファンを実現することができようになる。
【００１９】
ここで、最も低い商品の使用条件を１０℃、精度の幅を±１℃としたが、同様の効能が得られるものであればこの限りではない。
【００２０】
（実施の形態２）
次に、本発明の実施の形態２について図面を参照しながら説明する。なお、実施の形態１と同一のものは同一番号を付し、その詳細な説明を省略する。
【００２１】
図４に示すように、マイクロコンピュータ１２へ信号を増幅して伝達する増幅回路１３の基準電位を可変し、伝達誤差を抑える調整手段としての可変抵抗１５を備え、可変抵抗１５は、熱起電力型温度センサ１１の検知温度とサーミスタ９が検知する温度が等しいときの温度差を所定の温度幅内になるように増幅回路１３の基準電位を調整するという構成を有する。
【００２２】
Ｔｐ＝Ｔｈの時は熱起電力型温度センサ１１の出力自身が無いため、増幅回路１３のバラツキが検知温度の誤差となる。増幅回路１３のバラツキは図５に示すように、増幅回路１３の基準電位を作っている抵抗器Ｒ３および抵抗器Ｒ４のバラツキが大きな要因となっている。そのため、抵抗器Ｒ４は可変抵抗とし、増幅回路１３の出力電圧は基準電位となるように調整する。そのようにすることで、調理開始時の検知温度の精度を高めることができ、自動運転の精度を向上し、使用感の高いレンジフードファンを実現することができる。
【００２３】
具体的に、電源電圧＝５Ｖ、Ｒ３＝１０ｋΩ、基準電位を２．５Ｖとする。このとき、Ｒ４＝１０ｋΩとなるが、実際には電源電圧や抵抗器Ｒ３、抵抗器Ｒ４の抵抗値にはバラツキがあり、基準電位は２．５Ｖとはならない。そのため、基準電位が２．５Ｖとなるように、可変抵抗１５とした抵抗器Ｒ４を調整して、基準電位を２．５Ｖとなるようにする。
【００２４】
ここで、電源電圧を５Ｖ、抵抗器Ｒ３を１０ｋΩ、基準電位を２．５Ｖとしたが、同様の効能が得られるものであればこの限りではない。
【産業上の利用可能性】
【００２５】
本発明にかかるレンジフードは、屋外に連通した吐出口と、空気を吸込む吸込口と、前記吐出口と前記吸込口とを結ぶ通風路内に空気を吸込み排気する排気ファンと、フード部分には前記排気ファンの排気風量を手動で決定するための操作スイッチと、前記操作スイッチの入力に基づいて前記排気ファンの運転を決定する制御手段と、加熱調理器の周囲温度を検知するための周囲温度検知手段と、前記加熱調理器のトッププレートの温度を検知するための温度検知手段と、前記温度検知手段による検知温度を補正するための補正手段を備え、前記補正手段は、前記温度検知手段の出力電圧を増幅する増幅回路と、前記増幅回路の増幅率を可変する増幅率可変手段から構成するものであって、前記温度検知手段によって検知した温度が所定の温度範囲において、前記周囲温度検知手段によって検知した温度に対して所定の温度幅内におさまるように増幅率を可変して補正するという構成にしたことにより、補正手段は、増幅率を可変することで、温度検知手段による検知手段を所定の温度範囲において、周囲温度に対して所定の温度幅内になるように調整して、加熱調理器の周囲温度によらず調理器具の温度によって制御部が排気ファンを駆動し、風量を変化させ、使用感を向上させるものとして有用である。
【符号の説明】
【００２６】
１    レンジフードファン
２    吐出口
３    吸込口
４    フード部分
５    排気ファン
６    操作スイッチ
７    制御手段
８    加熱調理器
９    サーミスタ
１０  トッププレート
１１  熱起電力型温度センサ
１２  マイクロコンピュータ
１３  増幅回路
１４  可変抵抗
１５  可変抵抗
【図１】
2013079747.tif 000003
【図２】
2013079747.tif 000004
【図３】
2013079747.tif 000005
【図４】
2013079747.tif 000006
【図５】
2013079747.tif 000007